(57)【要約】【課題】更なる低背化を実現する垂直取付形のＦＰＣ用コネクタを提供する。【解決手段】ハウジング２はＦＰＣ１が挿入される挿通穴２１を形成する。カバーハウジング３は挿通穴２１を開閉可能に覆う。ハウジング２は、並設配置される複数のコンタクト４と、挿通穴２１を介してコンタクト４に対向してカバーハウジング３と係合する複数の係止板５と、を備える。コンタクト４は、挿通穴２１に臨む弾性片４１とハウジング２に圧入する第１圧入片４２とを有する。係止板５は、ハウジング２に圧入する第２圧入片５１を有する。弾性片４１はＦＰＣ１と接触する接点４ａを有し、第２圧入片５１はカバーハウジング３の開閉姿勢を規定するカム部３１に係合する押さえ部５ａを有する。カバーハウジング３が閉姿勢のときは、カム部３１はＦＰＣ１を接点４ａに押圧する。【選択図】図１
2007323876.tif 000002
【特許請求の範囲】
【請求項１】
ＦＰＣが挿入される挿通穴を形成する略直方体状のハウジングと、このハウジングの挿通穴を開閉可能に覆う略矩形板状のカバーハウジングと、を備えるＦＰＣ用コネクタであって、
前記ハウジングは、並設配置される複数のコンタクトと、前記挿通穴を介してこれらのコンタクトに対向して前記カバーハウジングと係合する複数の係止板と、を内部に備え、
前記コンタクトは、前記挿通穴に臨むように配置される弾性片と、この弾性片に対向して前記ハウジングに圧入する第１圧入片と、を有し、
前記係止板は、前記ハウジングに圧入する第２圧入片を有し、
前記弾性片は、前記ＦＰＣと接触する接点を先端側に有し、
前記第２圧入片は、前記挿通穴の開口側に延び、前記カバーハウジングの開姿勢又は閉姿勢を規定するカム部に係合する押さえ部を先端側に有し、
前記カバーハウジングが閉姿勢のときは、前記カム部は、前記ＦＰＣを前記接点に押圧しているＦＰＣ用コネクタ。
【請求項２】
前記カバーハウジングは、円弧面と平坦面とで半月形に形成された一対の軸部を両翼に備え、
前記ハウジングは、前記軸部の円弧面を回動可能に軸受けする一対の受け部と、前記軸部の平坦面に当接する一対のタブ板と、を備え、
前記タブ板は、基端側がハウジングに固定され、先端側が前記軸部の回動中心以下に延び、
前記カバーハウジングが閉姿勢以上に回動することが防止される請求項１記載のＦＰＣ用コネクタ。
【請求項３】
前記カム部は、前記カバーハウジングの閉姿勢を維持する第１輪郭部と、この第１輪郭部に連続して前記カバーハウジングの開姿勢を維持する第２輪郭部と、前記第１輪郭部と相反する向きに形成し、前記ＦＰＣを前記接点に押圧する第３輪郭部と、を有している請求項１又は２記載のＦＰＣ用コネクタ。
【請求項４】
前記コンタクトは、前記弾性片及び前記第１圧入片の基端同士を連結してプリント基板にハンダ接合可能な第１リード片を有し、
前記係止板は、第２圧入片の基端側が屈折して前記プリント基板にハンダ接合可能な第２リード片を有している請求項１から３のいずれかに記載のＦＰＣ用コネクタ。
【請求項５】
前記ハウジングは、吸着可能な平坦領域を有している請求項１から４のいずれかに記載のＦＰＣ用コネクタ。
【請求項６】
実装高さが１．５ｍｍ以上、３ｍｍ未満である請求項１から５のいずれかに記載のＦＰＣ用コネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの平形柔軟ケーブルと接続するコネクタに関する。本明細書は平形柔軟ケーブルを総称してＦＰＣと呼称することとし、特に、本発明は、プリント基板の表面に対して、ＦＰＣの挿入方向が垂直となる、いわゆる垂直取付形のＦＰＣ用コネクタの構造に関する。
【背景技術】
【０００２】
プリント基板に表面実装されるＦＰＣ用のコネクタ、いわゆる表面実装型のＦＰＣ用のコネクタは、例えば、ＦＰＣが挿入される開口が形成されたハウジングと、このハウジングに所定のピッチで横並びに装着された複数のコンタクトを備えている。そして、ＦＰＣとこれらのコンタクトとを接触させるために、開閉するカバーハウジングがＦＰＣ用コネクタに備えられている。
【０００３】
プリント基板に表面実装されるＦＰＣ用コネクタは実装密度を上げるべく、実装高さを低くすること（低背化）が求められており、この表面実装型のＦＰＣ用コネクタに配列されるコンタクトも多ピン化、狭ピッチ化が進行している。このような表面実装型のＦＰＣ用コネクタとして、カバーハウジングを開閉中に脱落する恐れをなくした構造のＦＰＣ用コネクタが発明されている（例えば、特許文献１参照）。
【特許文献１】特開２００４−８７３６１号公報
【発明の開示】
【発明が解決しようとする課題】
【０００４】
図９は、特許文献１によるＦＰＣ用コネクタの断面図であり、図９（Ａ）は奇数極の端子に沿って示した断面図であり、図９（Ｂ）は偶数極の端子に沿って示した断面図である。本願の図９は特許文献１の図１に対応している。
【０００５】
図９において、ＦＰＣ用コネクタ９は、ハウジング９１と、複数のコンタクト９２・９３と、カバーハウジング９４と、を備えている。コンタクト９２とコンタクト９３とは、ハウジング９１内に交互に配列されている。コンタクト９２は、ＦＰＣの接点と接触するコンタクト片９２ａと、カバーハウジング９４に設けたピン部９４４と係合するフック状の拘束片９２ｂと、を有している。拘束片９２ｂは、ＦＰＣ挿入口９１３に向かって延びる第１拘束縁９２１と、第１拘束縁９２１と略直角を成して連続する第２拘束縁９２２が形成されている。コンタクト９３は、ＦＰＣの接点と接触するコンタクト片９３ａと、カバーハウジング９４のカム部９４７と係合する加圧片９３ｂと、を有している。加圧片９３ｂは、ＦＰＣ挿入口９１３に向かって延びる係合縁９３１が形成されている。
【０００６】
図９において、カバーハウジング９４を開いた状態では、ＦＰＣが挿入可能であり、カバーハウジング９４を閉じた状態では、ＦＰＣの接点とコンタクト片９２ａ・９３ａとが電気的接続する。特許文献１によるＦＰＣ用コネクタ９は、カバーハウジング９４の開状態と閉状態との姿勢を変化が可能であり、かつ、カバーハウジング９４が姿勢変化する際の脱落が防止されている。
【０００７】
図９に示されたＦＰＣ用コネクタ９は、コンタクト９２に形成されたリード９２ｃ、及びコンタクト９３に形成されたリード９３ｃがプリント基板（図示せず）にハンダ接合される垂直取付形のＦＰＣ用コネクタとなっている。このような垂直取付形のＦＰＣ用コネクタは、更なる低背化が要求されている。プリント基板への垂直取付形のＦＰＣ用コネクタの実装高さを低くすることにより、電子機器を薄型化したり、小型化することが可能になる。
【０００８】
しかし、特許文献１によるＦＰＣ用コネクタ９は、コンタクト片９２ａ・９３ａが各々拘束片９２ｂ及び加圧片９３ｂと連結しているので、低背化には限界がある。コンタクト片９２ａ・９３ａと拘束片９２ｂ及び加圧片９３ｂと連結する連結片が、ＦＰＣの進入を遮る構造となっているので、連結片の高さ分だけ低背化することが困難となっている。又、カバーハウジング９４が脱落しないように、拘束片９２ｂの先端部に鉤状の第２拘束縁９２２を設けた構造も低背化を困難とする要因となっている。垂直取付形のＦＰＣ用コネクタにおいて、更なる低背化を実現する構造が求められている。そして、このことが本発明の課題といってよい。
【０００９】
本発明は、このような問題に鑑みてなされたものであり、更なる低背化を実現する垂直取付形のＦＰＣ用コネクタを提供することを目的とする。
【課題を解決するための手段】
【００１０】
本発明者は、ＦＰＣと接触するコンタクト片と、カバーハウジングの開閉姿勢を維持する拘束片と分離することにより更なる低背化が可能なことを見出し、これに基づいて、以下のような新たなＦＰＣ用コネクタを発明するに至った。
【００１１】
（１）  ＦＰＣが挿入される挿通穴を形成する略直方体状のハウジングと、このハウジングの挿通穴を開閉可能に覆う略矩形板状のカバーハウジングと、を備えるＦＰＣ用コネクタであって、前記ハウジングは、並設配置される複数のコンタクトと、前記挿通穴を介してこれらのコンタクトに対向して前記カバーハウジングと係合する複数の係止板と、を内部に備え、前記コンタクトは、前記挿通穴に臨むように配置される弾性片と、この弾性片に対向して前記ハウジングに圧入する第１圧入片と、を有し、前記係止板は、前記ハウジングに圧入する第２圧入片を有し、前記弾性片は、前記ＦＰＣと接触する接点を先端側に有し、前記第２圧入片は、前記挿通穴の開口側に延び、前記カバーハウジングの開姿勢又は閉姿勢を規定するカム部に係合する押さえ部を先端側に有し、前記カバーハウジングが閉姿勢のときは、前記カム部は、前記ＦＰＣを前記接点に押圧しているＦＰＣ用コネクタ。
【００１２】
（１）の発明によるＦＰＣ用コネクタは、略直方体状のハウジングと略矩形板状のカバーハウジングを備えている。ハウジングは、ＦＰＣが挿入される挿通穴を形成している。カバーハウジングは、ハウジングの挿通穴を開閉可能に覆っている。ハウジングは、複数のコンタクトと複数の係止板を内部に備えている。複数のコンタクトは並設配置されている。複数の係止板は、挿通穴を介して複数のコンタクトに対向し、カバーハウジングと係合する。
【００１３】
コンタクトは、弾性片と第１圧入片を有している。弾性片は、挿通穴に臨むように配置されている。第１圧入片は、弾性片に対向し、ハウジングに圧入される。係止板は、ハウジングに圧入する第２圧入片を有している。弾性片は、ＦＰＣと接触する接点を先端側に有している。第２圧入片は、挿通穴の開口側に延び、カバーハウジングの開姿勢又は閉姿勢を規定するカム部に係合する押さえ部を先端側に有している。そして、カバーハウジングが閉姿勢のときは、カム部は、ＦＰＣを接点に押圧している。
【００１４】
一般に、ＦＰＣは、絶縁性のポリエステルやポリイミドで形成されるベースフィルムに導体パターンとなる銅箔が接着されている。導体パターンは絶縁被膜で被覆されているが、ＦＰＣの端部は、例えば、コネクタに備わるコンタクトと導電接触するために導体パターンが露出している。本発明によるコネクタに適用されるＦＰＣは、ベースフィルムの片側に導体パターンが備わる片面ＦＰＣが好ましく用いられ、片面ＦＰＣの端部はベースフィルムの片側に導体パターンが露出している。
【００１５】
ここで、ハウジングは絶縁性を有している。絶縁性のハウジングとは、非導電性の材料からなるハウジングのことであってよく、合成樹脂を成形して、略直方体状の絶縁性のハウジングを得ることができる。カバーハウジングは、導電性を有する金属体であってもよいが、絶縁性を有することが好ましい。ハウジングと同材質の絶縁性の合成樹脂を成形して、略矩形板状のカバーハウジングを得ることが好ましいが、カバーハウジングは、ハウジングと同材質に限定されない。
【００１６】
ＦＰＣが挿入されるために、ハウジングには、例えば、薄直方体状の挿通穴が形成されている。ＦＰＣは、挿通穴の開口側から底面に向かって挿入される。ＦＰＣが薄直方体状の挿通穴に挿入されるにあたり、挿通穴を形成する長手方向に対向する一対の内壁がＦＰＣの幅方向を案内して、後述する複数の弾性片と位置合わせするようにしてもよい。
【００１７】
カバーハウジングは、ハウジングの挿通穴を開閉可能に覆っているとは、カバーハウジングの所定の部位が、挿通穴を形成する内壁の一部を構成していることを意味している。本発明によるＦＰＣ用コネクタは、カバーハウジングを開いているときは、挿通穴を形成する短手方向に対向する一対の内壁の間隔がＦＰＣの厚さより大きく、挿入容易であり、カバーハウジングを閉じているときは、後述するように、カバーハウジングに設けられたカム部がＦＰＣを接点に押圧している。このように開閉動作することにより、押圧する機能を有するカバーハウジングは、アクチュエータと呼ぶこともできる。
【００１８】
コンタクトは導電性を有している。例えば、導電性を有する金属板を精密打ち抜き加工して、所望の形状のコンタクトを得ることができる。コンタクトは、電気抵抗値の低い金属が好ましく、ハンダ接合可能であり、所要の弾性が得られる比較的硬質の銅合金などが好ましく用いられる。係止板は、所要の剛性が得られる金属板が好ましく、導電性を有する必要はないが、ハンダ接合可能な金属板が好ましい。
【００１９】
ここで、複数のコンタクトは、ハウジングに並設配置されている。並設されるとは、近接させて一列に揃え、並べて配置されることを意味している。一定の間隔とは、ＦＰＣの導体パターン（ＦＰＣの端部に露出され導体パターン）の間隔と同じであってよく、複数のコンタクトがＦＰＣに接続する。本発明によるコネクタは、コンタクトが一列になっているシングルインライン形のコネクタであるということもできる。
【００２０】
複数の係止板は挿通穴を介して複数のコンタクトに対向しているとは、複数の係止板と挿通穴とが、挿通穴を間にして離間していることを意味している。より具体的には、後述する弾性片と第２圧入片とが、挿通穴を間にして各板厚面同士が対向するように配置される。
【００２１】
係止板とコンタクトは、一対一に配置されることが好ましい。すなわち、係止板とコンタクトとは、同数であることが好ましい。しかし、コンタクトの本数に対して、係止板の本数が同数であることに限定されない。後述するように、カバーハウジングが閉姿勢のときは、カム部はＦＰＣをコンタクトの弾性片に設けられた接点に押圧している。言い換えれば、複数のコンタクトは、カム部に等分布荷重を付与している。この等分布荷重に対して、係止板（より具体的には、第２圧入片の押さえ部）が複数箇所でカム部を支持することにより、カム部が撓むことを防止している。従って、係止板の本数は、カム部や第２圧入片の押さえ部の断面２次モーメント及び縦弾性係数などにより適宜に設定される。
【００２２】
例えば、弾性片と第１圧入片とは基端側同士が連結し、コンタクトは、第１圧入片と弾性片とが対向するＵの字状に形成される。ここで、弾性片は、ばねの働きが片持ち梁と同じであるカンチレバーコンタクトであってよく、挿通穴に臨むように配置されている。ハウジングは、挿通穴に連通する複数のスリットを有し、これらのスリットに複数の弾性片が収容される。
【００２３】
第１圧入片は、微細な圧入突起となるバーブ（ｂａｒｂ：刺）を板厚面に有し、このバーブがハウジングに設けられた圧入穴の内壁を食い破ることにより、第１圧入片がハウジングに圧入される。第１圧入片は、挿通穴の開口側と対向する底面側から挿通穴の開口側に向かって圧入される。ここで、第１圧入片の先端は、ハウジングの上面から突出しないように圧入される。
【００２４】
第２圧入片は、同様に、微細な圧入突起となるバーブを板厚面に有し、このバーブがハウジングに設けられた圧入穴の内壁を食い破ることにより、第２圧入片がハウジングに圧入される。第２圧入片は、挿通穴の開口側と対向する底面側から挿通穴の開口側に向かって圧入される。カバーハウジングが閉姿勢のときに、当該カバーハウジングがハウジングの上面から突出しないように、ハウジングに段差が設けられている。そして、この段差に第２圧入片の先端側の押さえ部が突出する。
【００２５】
カム部は、カバーハウジングの開閉中心の周囲に形成され、平面曲線を輪郭とする板カムであってよく、輪郭の一部が開閉中心から偏位している偏心カムでもある。そして、第２圧入片の押さえ部は、カム部の回転運動により変位される従動節となっている。カム部は、カバーハウジングの開姿勢又は閉姿勢を規定するといってもよい。
【００２６】
後述するように、カム部は、ＦＰＣを接点に押圧する第３輪郭部を有し、カバーハウジングを開いているときは、一方の内壁となる第３輪郭部で形成される挿通穴の間隔がＦＰＣの厚さより大きく、挿入容易である。一方、カバーハウジングを閉じているときは、一方の内壁となる第３輪郭部で形成される挿通穴の間隔がＦＰＣの厚さより小さく、カム部は、ＦＰＣを接点に押圧している。
【００２７】
このように、（１）の発明によるＦＰＣ用コネクタは、ＦＰＣと接触する複数のコンタクトと、カバーハウジングの開閉姿勢を維持する複数の係止板とを、ＦＰＣを挿入する挿通穴を介して分離配置しているので、ＦＰＣの進入を遮ることのない構造となり、従来と比較して低背化することが可能となった。又、係止板の先端部は、直刃状の形状が可能であり、従来のように、拘束片の先端部に鉤状の第２拘束縁を設ける必要もないので、更なる低背化が可能となった。
【００２８】
（２）  前記カバーハウジングは、円弧面と平坦面とで半月形に形成された一対の軸部を両翼に備え、前記ハウジングは、前記軸部の円弧面を回動可能に軸受けする一対の受け部と、前記軸部の平坦面に当接する一対のタブ板と、を備え、前記タブ板は、基端側がハウジングに固定され、先端側が前記軸部の回動中心以下に延び、前記カバーハウジングが閉姿勢以上に回動することが防止される（１）記載のＦＰＣ用コネクタ。
【００２９】
（２）の発明によるＦＰＣ用コネクタは、カバーハウジングが円弧面と平坦面とで半月形に形成された一対の軸部を両翼に備えている。ハウジングは、一対の受け部と一対のタブ板を備えている。一対の受け部は、軸部の円弧面を回動可能に軸受けしている。一対のタブ板は、これら軸部の平坦面に当接する。タブ板は、基端側がハウジングに固定され、先端側が軸部の回動中心以下に延びており、カバーハウジングが閉姿勢以上に回動することが防止される。
【００３０】
一対の軸部は、カバーハウジングの両翼に互いに相反する向きに突出している。円弧面と平坦面とで半月形に形成された軸部とは、軸部断面の一方が円弧であり、軸部断面の他方が円弧の中心を通る弦で形成された円柱であることを意味しており、円柱を中心で半分に分割したような形態であるといってもよい。一対の軸部は、カバーハウジングの本体と一体で成形されることが好ましいが、一対の軸部とカバーハウジングの本体とが別体であってもよい。
【００３１】
ハウジングは、軸部の円弧面を回動可能に軸受けすべく、両翼に円弧面が形成される。タブ板は、比較的剛性のある金属板が好ましく、ハンダ接合容易な金属板がより好ましい。タブ板は、軸部の平坦面に当接する当接片を先端側に有し、ハウジングに圧入される圧入片を基端側に有している。タブ板は基端側がハウジングに固定されるとは、前記圧入片がハウジングに圧入されることを含んでよく、他の固定手段で固定されてもよい。タブ板は、ハウジングの上面（挿通穴の開口側）から底面に向かって圧入され、当接片の板厚面が軸部の平坦面に当接する。タブ板はハウジングに固定されるとは、カバーハウジングがハウジングに組み込まれることをも意味している。
【００３２】
（２）の発明によるＦＰＣ用コネクタは、一対のタブ板の基端側がハウジングに固定され、タブ板の先端側が軸部の回動中心以下に延びているので、カバーハウジングが閉姿勢以上に回動することが防止される。一般に、コネクタにＦＰＣが装着された状態で電子機器内に配置することが考えられ、カバーハウジングが閉姿勢以上に回動することが防止されることにより、コネクタからＦＰＣが脱落することが防止される。
【００３３】
又、（２）の発明によるＦＰＣ用コネクタは、カバーハウジングの終縁部に設けられたカム部がＦＰＣを押し当てる構造としたことにより、カバーハウジングを閉じたときに、いわゆるセルフロックの機能が働くことができる。
【００３４】
（３）  前記カム部は、前記カバーハウジングの閉姿勢を維持する第１輪郭部と、この第１輪郭部に連続して前記カバーハウジングの開姿勢を維持する第２輪郭部と、前記第１輪郭部と相反する向きに形成し、前記ＦＰＣを前記接点に押圧する第３輪郭部と、を有している（１）又は（２）記載のＦＰＣ用コネクタ。
【００３５】
カバーハウジングが閉じられているときは、第２圧入片の押さえ部は、カム部の第１輪郭部に係合して閉姿勢を維持する。カバーハウジングを開いたときは、第２圧入片の押さえ部は、カム部の第１輪郭部に係合して開姿勢を維持する。例えば、第１輪郭部と第２輪郭部との開き角度は１３５度である。カバーハウジングが閉じたときは、カバーハウジングはハウジングの上面と略水平面を共有し、コネクタを低背化している。カバーハウジングが開いたときは、４５度の開き角度を有している。
【００３６】
（４）  前記コンタクトは、前記弾性片及び前記第１圧入片の基端同士を連結してプリント基板にハンダ接合可能な第１リード片を有し、前記係止板は、第２圧入片の基端側が屈折して前記プリント基板にハンダ接合可能な第２リード片を有している（１）から（３）のいずれかに記載のＦＰＣ用コネクタ。
【００３７】
（４）の発明によるＦＰＣ用コネクタは、プリント基板にハンダ接合可能な表面実装形のコネクタを実現できる。一対のタブ板の底面をプリント基板にハンダ接合することにより、このコネクタのハンダ接合強度を補強できる。
【００３８】
（５）  前記ハウジングは、吸着可能な平坦領域を有している（１）から（４）のいずれかに記載のＦＰＣ用コネクタ。
【００３９】
例えば、コネクタをプリント基板上の所定位置に実装する組み立て作業において、作業能率を向上し正確性を期するために、自動実装機が用いられることが多い。このような自動実装機は、キャリアテープ又はトレイに収容された複数のコネクタを空気圧で吸着して、プリント基板上の所定位置に逐次移載する。（５）の発明によるＦＰＣ用コネクタは、このような、自動実装機に好適なコネクタであって、ハウジングは、吸着可能な平坦領域を有している。
【００４０】
（６）  実装高さが１．５ｍｍ以上、３ｍｍ未満である（１）から（５）のいずれかに記載のＦＰＣ用コネクタ。
【００４１】
垂直取付形のＦＰＣ用コネクタは、実装高さが４ｍｍ付近のものが多く、開閉するカバーハウジングの機構を有するＦＰＣ用コネクタは、更に実装高さが高くなる傾向にある。本発明による開閉するカバーハウジングの機構を有するＦＰＣ用コネクタであって、実装高さが１．５ｍｍ以上、３ｍｍ未満であることを実現できた。
【発明の効果】
【００４２】
本発明によるＦＰＣ用コネクタは、ＦＰＣと接触する複数のコンタクトと、カバーハウジングの開閉姿勢を維持する複数の係止板とを、ＦＰＣを挿入する挿通穴を介して分離配置しているので、ＦＰＣの進入を遮ることのない構造となり、従来と比較して低背化することが可能となった。又、係止板の先端部は、直刃状の形状が可能であり、従来のように、拘束片の先端部に鉤状の第２拘束縁を設ける必要もないので、更なる低背化が可能となった。
【発明を実施するための最良の形態】
【００４３】
以下、図面を参照して本発明を実施するための最良の形態を説明する。
【００４４】
図１は、本発明によるＦＰＣ用コネクタ（以下、コネクタと略称する）の一実施形態を示す斜視外観図であり、カバーハウジングが閉じられた状態図であり、要部を断面としている。図２は、前記実施形態によるコネクタの斜視外観図であり、カバーハウジングが開いた状態図である。図３は、前記実施形態によるコネクタの平面図である。図４は、前記実施形態によるコネクタの正面図である。
【００４５】
図５は、前記実施形態によるコンタクトの側面を断面とする縦断面図であり、カバーハウジングが開いた状態図である。図６は、前記実施形態によるコンタクトの側面を断面とする縦断面図であり、カバーハウジングが閉じた状態図である。図７は、前記実施形態によるコネクタの右側面図である。図８は、前記実施形態による一方のタブ板の側面を断面とする縦断面図である。
【００４６】
最初に、本発明によるコネクタの構成を説明する。図１において、コネクタ１０は、ＦＰＣ１が挿入され、ＦＰＣ１と接続する。コネクタ１０は、略直方体状の絶縁性のハウジング２と、略矩形板状の絶縁性のカバーハウジング３とを備えている。ハウジング２は、ＦＰＣ１が挿入される挿通穴２１が形成されている。カバーハウジング３は、ハウジング２の挿通穴２１を開閉可能に覆っている。
【００４７】
図１において、ハウジング２は、複数のコンタクト４と複数の係止板５を内部に備えている。複数のコンタクト４は、ハウジング２に並設配置されている。複数の係止板５は、挿通穴２１を介して複数のコンタクト４に対向し、カバーハウジング３と係合する（図６参照）。
【００４８】
図１及び図５において、コンタクト４は、弾性片４１と第１圧入片４２と第１リード片４３を有している。弾性片４１は、挿通穴２１に臨むように配置されている。第１圧入片４２は、弾性片４１に対向し、ハウジング２に圧入されている。第１リード片４３は、弾性片４１及び第１圧入片４２の基端同士を連結しており、プリント基板８にハンダ接合可能となっている。
【００４９】
図１及び図５において、係止板５は、略Ｌの字状に形成され、第２圧入片５１と第２リード片５２を有している。第２圧入片５１は、ハウジング２に圧入される。第２リード片５２は、第２圧入片５１の基端側が屈折してプリント基板８にハンダ接合可能となっている。
【００５０】
図１及び図５において、弾性片４１は、ＦＰＣ１と接触する接点４ａを先端側に有している。第２圧入片５１は、挿通穴２１の開口側に延び、カバーハウジング３の開姿勢又は閉姿勢を規定するカム部３１に係合する押さえ部５ａを先端側に有している。カバーハウジング３が閉姿勢のときは、カム部３１は、ＦＰＣ１を接点４ａに押圧している（図６参照）。
【００５１】
図１において、弾性片４１と第１圧入片４２とは基端側同士が連結し、コンタクト４は、弾性片４１と第１圧入片４２とが対向するＵの字状に形成されている。弾性片４１は、ばねの働きが片持ち梁と同じであるカンチレバーコンタクトであって、挿通穴２１に臨むように配置されている。ハウジング２は、挿通穴２１に連通する複数のスリット２２を有しており、複数のスリット２２に複数の弾性片４１が移動容易に収容されている（図５又は図６参照）。複数のスリット２２は、ハウジング２の長手方向に櫛の歯状に形成されている。
【００５２】
図１及び図５において、第１圧入片４２は、微細な圧入突起となるバーブ４ｂを板厚面に有している。バーブ５ｂがハウジング２に設けられた圧入穴２ｂの内壁を食い破ることにより、第１圧入片４２がハウジング２に圧入されている。図６に示されるように、第１圧入片４２は、挿通穴２１の開口側と対向する底面側から挿通穴２１の開口側に向かって圧入されている。第１圧入片４２の先端は、ハウジング２の上面から突出しないように圧入されている。
【００５３】
図１及び図５において、第２圧入片５１は、微細な圧入突起となるバーブ５ｂを板厚面に有している。バーブ５ｂがハウジング２に設けられた圧入穴２ｃの内壁を食い破ることにより、第２圧入片５１がハウジング２に圧入されている。第２圧入片５１は、挿通穴２１の開口側と対向する底面側から挿通穴２１の開口側に向かって圧入される。図６に示されるように、カバーハウジング３が閉姿勢のときに、カバーハウジング３がハウジング２の上面から突出しないように、ハウジング２に段差２３が設けられている。そして、段差２３に第２圧入片５１の先端側の押さえ部５ａが突出している。
【００５４】
図１から図４において、カバーハウジング３は、円弧面と平坦面とで半月形に形成された一対の軸部３ａ・３ｂを両翼に備えている。ハウジング２は、一対の受け部２３ａ・２３ｂと一対のタブ板６ａ・６ｂを備えている。一対の受け部２３ａ・２３ｂは、一対の軸部３ａ・３ｂの円弧面を回動可能に軸受けしている。一対のタブ板６ａ・６ｂは、一対の軸部３ａ・３ｂの平坦面に当接している。一対のタブ板６ａ・６ｂは、基端側がハウジング２に固定され、先端側が一対の軸部３ａ・３ｂの回動中心Ｑ以下に延びている（図８参照）。
【００５５】
図１に示されるように、一対の軸部３ａ・３ｂは、カバーハウジング３の両翼に互いに相反する向きに突出している。一対の軸部３ａ・３ｂは、軸部断面の一方が円弧であり、軸部断面の他方が円弧の中心を通る弦で形成された半月形の円柱で形成されている。一対の軸部３ａ・３ｂは、カバーハウジング３の本体３０と一体で成形されている。
【００５６】
軸部３ａと軸部３ｂ、及びタブ板６ａとタブ板６ｂとは同じものであるが、説明の便宜上、符号を付して区別している。以下の説明では、軸部３ａ及びタブ板６ａを代表して説明することがある。図７及び図８において、ハウジングは、軸部３ａの円弧面を回動可能に軸受けすべく、受け部２３ａに円弧面が形成されている。タブ板６ａは、比較的剛性のあるハンダ接合容易な金属板からなっている。タブ板６ａは、軸部３ａの平坦面に当接する当接片６１を先端側に有し、ハウジング２に圧入される圧入片６２を基端側に有している。圧入片６２がハウジング２に圧入されることにより、タブ板６ａがハウジング２に固定される。タブ板６ａは、ハウジング２の上面から底面に向かって圧入され、当接片６１の板厚面が軸部３ａの平坦面に当接している。
【００５７】
次に、本発明によるコネクタの作用を説明する。図１又は図２において、ＦＰＣ１が挿入されるために、ハウジング２には、薄直方体状の挿通穴２１が形成されている。ＦＰＣ１は、挿通穴の開口側から底面に向って挿入される（図５参照）。ＦＰＣ１が薄直方体状の挿通穴２１に挿入されるにあたり、挿通穴２１を形成する長手方向に対向する一対の内壁がＦＰＣ１の幅方向を案内して、複数の弾性片４１と位置合わせされる（図６参照）。
【００５８】
図５又は図６において、カバーハウジング３の所定の部位が、挿通穴２１を形成する内壁の一部を構成している。カバーハウジング３を開いているときは、挿通穴２１を形成する短手方向に対向する一対の内壁の間隔がＦＰＣ１の厚さより大きく、挿入容易である（図５参照）。カバーハウジング３を閉じているときは、カバーハウジング３に設けられたカム部３１がＦＰＣ１を接点４ａに押圧している（図６参照）。
【００５９】
図１又は図３において、コンタクト４と係止板５は、一対一に配置されている。コンタクト４と係止板５とは同数となっている。図６に示されるように、カバーハウジング３が閉姿勢のときは、カム部３１は、ＦＰＣ１をコンタクト４の弾性片４１に設けられた接点４ａに押圧している。言い換えれば、複数のコンタクト４は、カム部３１に等分布荷重を付与している。この等分布荷重に対して、係止板５（より具体的には、第２圧入片５１の押さえ部５ａ）が複数箇所でカム部３１を支持することにより、カム部３１が撓むことを防止している。
【００６０】
図５又は図６において、カム部３１は、カバーハウジング３の回動中心の周囲に形成されている。カム部３１は、カバーハウジング３の開姿勢又は閉姿勢を規定するといってもよい。そして、カム部３１は、第１輪郭部３１１と、第１輪郭部３１１に連続する第２輪郭部３１２と、第１輪郭部３１１と相反する向きに形成される第３輪郭部３１３と、を有している。第１輪郭部３１１は、カバーハウジング３の閉姿勢を維持する（図６参照）。第２輪郭部３１２は、カバーハウジング３の開姿勢を維持する（図５参照）。第３輪郭部３１３は、ＦＰＣ１を接点４ａに押圧する（図６参照）。
【００６１】
図５において、カバーハウジング３を開いているときは、一方の内壁となる第３輪郭部３１３で形成される挿通穴２１の間隔がＦＰＣ１の厚さより大きく、挿入容易である。一方、図６において、カバーハウジング３を閉じているときは、一方の内壁となる第３輪郭部３１３で形成される挿通穴２１の間隔がＦＰＣ１の厚さより小さく、カム部３１は、ＦＰＣ１を接点４ａに押圧している。図５又は図６において、第１輪郭部３１１と第２輪郭部３１２との開き角度は１３５度である。カバーハウジング３が閉じたときは、カバーハウジング３はハウジング２の上面と略水平面を共有し（図６参照）、コネクタ１０を低背化している。カバーハウジング３が開いたときは、４５度の開き角度αを有している（図５参照）。
【００６２】
このように、本発明によるＦＰＣ用コネクタは、ＦＰＣと接触する複数のコンタクトと、カバーハウジングの開閉姿勢を維持する複数の係止板とを、ＦＰＣを挿入する挿通穴を介して分離配置しているので、ＦＰＣの進入を遮ることのない構造となり、従来と比較して低背化することが可能となった。又、係止板の先端部は、直刃状の形状が可能であり、従来のように、拘束片の先端部に鉤状の第２拘束縁を設ける必要もないので、更なる低背化が可能となった。
【００６３】
又、本発明によるＦＰＣ用コネクタは、一対のタブ板の基端側がハウジングに固定され、タブ板の先端側が軸部の回動中心以下に延びているので、カバーハウジングが閉姿勢以上に回動することが防止される。一般に、コネクタにＦＰＣが装着された状態で電子機器内に配置することが考えられ、カバーハウジングが閉姿勢以上に回動することが防止されることにより、コネクタからＦＰＣが脱落することが防止される。
【００６４】
更に、本発明によるＦＰＣ用コネクタは、コンタクト４がプリント基板８にハンダ接合可能な第１リード片４３を有し、係止板５が、プリント基板８にハンダ接合可能な第２リード片５２を有している（図５又は図６参照）。したがって、本発明によるＦＰＣ用コネクタは、プリント基板にハンダ接合可能な表面実装形のコネクタを実現できる。一対のタブ板６ａ・６ｂの底面をプリント基板８にハンダ接合することにより、このコネクタのハンダ接合強度を補強できる（図１参照）。
【００６５】
例えば、コネクタをプリント基板上の所定位置に実装する組み立て作業において、作業能率を向上し正確性を期するために、自動実装機が用いられることが多い。このような自動実装機は、キャリアテープ又はトレイに収容された複数のコネクタを空気圧で吸着して、プリント基板上の所定位置に逐次移載する。
【００６６】
図３及び図４は、前述した自動実装機に備わる吸着ハンド７を示している。例えば、吸着ハンド７は先端部に吸着パッド７ａを有している。吸着パッド７ａがハウジング２の上面に当接して、吸着パッド７ａ内部を負圧にすることにより、コネクタ１０を吸着できる。図３に示されるように、ハウジング２は、吸着可能な平坦領域を有しているので、自動実装機に好適なコネクタとなっている。
【００６７】
本発明によるコネクタは、更なる低背化を実現している。垂直取付形のＦＰＣ用コネクタは、実装高さが４ｍｍ付近のものが多く、開閉するカバーハウジングの機構を有するＦＰＣ用コネクタは、更に実装高さが高くなる傾向にある。本発明による開閉するカバーハウジングの機構を有するＦＰＣ用コネクタであって、実装高さＨが１．５ｍｍ以上、３ｍｍ未満であることを実現できた（図４参照）。
【００６８】
本発明に適用されえるコネクタは、プリント基板の表面に対して、ＦＰＣの挿入方向が垂直となる、いわゆる垂直取付形のＦＰＣ用コネクタであってよく、ＦＰＣの挿抜時にほとんど力を必要としない、いわゆるＺＩＦ（Ｚｅｒｏ  Ｉｎｓｅｒｔｉｏｎ  Ｆｏｒｃｅ）タイプのＦＰＣ用コネクタでもある。又、本発明に適用されえるコネクタは、プリント基板の表面にハンダ接合される表面実装形のコネクタであり、コンタクトが一列になっているシングルインライン形のコネクタでもある。
【図面の簡単な説明】
【００６９】
【図１】本発明によるＦＰＣ用コネクタの一実施形態を示す斜視外観図であり、カバーハウジングが閉じられた状態図であり、要部を断面としている。
【図２】前記実施形態によるＦＰＣ用コネクタの斜視外観図であり、カバーハウジングが開いた状態図である。
【図３】前記実施形態によるＦＰＣ用コネクタの平面図である。
【図４】前記実施形態によるＦＰＣ用コネクタの正面図である。
【図５】前記実施形態によるコンタクトの側面を断面とする縦断面図であり、カバーハウジングが開いた状態図である。
【図６】前記実施形態によるコンタクトの側面を断面とする縦断面図であり、カバーハウジングが閉じた状態図である。
【図７】前記実施形態によるＦＰＣ用コネクタの右側面図である。
【図８】前記実施形態による一方のタブ板の側面を断面とする縦断面図である。
【図９】従来技術によるＦＰＣ用コネクタの断面図であり、図９（Ａ）は奇数極の端子に沿って示した断面図であり、図９（Ｂ）は偶数極の端子に沿って示した断面図である。
【符号の説明】
【００７０】
１  ＦＰＣ
２  ハウジング
３  カバーハウジング
４  コンタクト
４ａ  接点
５  係止板
５ａ  押さえ部
２１  挿通穴
４１  弾性片
４２  第１圧入片
５１  第２圧入片
３１  カム部
１０  コネクタ（ＦＰＣ用コネクタ）
【図１】
2007323876.tif 000003
【図２】
2007323876.tif 000004
【図３】
2007323876.tif 000005
【図４】
2007323876.tif 000006
【図５】
2007323876.tif 000007
【図６】
2007323876.tif 000008
【図７】
2007323876.tif 000009
【図８】
2007323876.tif 000010
【図９】
2007323876.tif 000011